(57)【要約】　　　（修正有）【課題】ＦＬインバータ回路を液晶パネルの周囲に効果的に配置した構造を提供する。【解決手段】液晶パネル３に対して、ＦＬインバータ回路４が垂直に固定されていることを特徴としている。即ち、液晶パネルの表示面３ａに対して、回路基板５および、昇圧部６が垂直に立った状態で配置されているものである。このような配置構造とすることにより低電位部である液晶パネル３と、高電位部である昇圧部６の距離ｄを同一の実装面積の中で多くとることができる。【選択図】　　　図１
2004117979.tif 000002
【特許請求の範囲】
【請求項１】
本体と、本体に回動可能に設けられた表示ユニットとを具備し、この表示ユニットの筐体内に設けられ、表示面を有する液晶パネルと、前記液晶パネルを照射するバックライトと、このバックライトに対して電源供給するためのＦＬインバータ回路とを具備し、
前記ＦＬインバータ回路は、前記液晶パネルの表示面に対して垂直に配置されていることを特徴とする電子機器。
【請求項２】
前記ＦＬインバータ回路は、回路基板と、回路基板に配置された昇圧部とを有し、前記回路基板の載置面が前記液晶パネルの表示面に対して垂直となっていることを特徴とする請求項１記載の電子機器。
【請求項３】
前記本体と、前記表示ユニットはヒンジ軸を介して回動可能に設けられており、前記ＦＬインバータ回路は、前記液晶パネルの周囲側面のうち、ヒンジ軸と対向する側面に設けられていることを特徴とする請求項２記載の電子機器。
【請求項４】
前記ヒンジ軸と対応する側面にスピーカ部を設けたことを特徴とする請求項３記載の電子機器。
【発明の詳細な説明】
【０００１】
【発明の属する技術分野】
本発明は、例えば、ノート型パーソナルコンピュータや、携帯型のＤＶＤプレーヤなどの電子機器に関する。
【０００２】
【従来の技術】
ノート型のパーソナルコンピュータや、携帯型のＤＶＤプレーヤなどは、本体ユニットと表示ユニットがヒンジ部を介して接続され、表示ユニットがヒンジ部を軸として、開閉可能な構造になっている。そして、表示ユニット側には液晶パネルが配置され、表示ユニットを閉じると液晶パネルが隠れ、表示ユニットを開けると液晶表示装置が見えるような構造となっている。
【０００３】
そして、表示ユニット側には、通常液晶パネルに照射して表示内容を視認可能にするための冷陰極管パックライトが設けられる。そしてこのバックライトを点灯させるために表示ユニットには、さらにＦＬインバータ回路が内蔵されている。
【０００４】
これは、ＦＬインバータ回路が液晶パネルの冷陰極管バックライト点灯が目的であるため、液晶パネルの近くに配置されることが多い。
【０００５】
上ノート型のパーソナルコンピュータや、携帯型のＤＶＤプレーヤなどでは、ＦＬインバータ回路が液晶パネルの冷陰極管バックライト点灯が目的であるため、液晶パネルの近くに配置されることが多い。そして、近年液晶パネルは年々大型化しているのに対し、組み込まれる機器の筐体サイズはできるだけ小型化する必要があるため、ＦＬインバータの配置場所は、液晶パネルの側部、具体的には、右、左、下の側部に隣接して配置される。
【０００６】
具体的には、図３や、下記の特許文献に記載さているように、液晶パネル１０に対し、ＦＬインバータが並列に配置されているものである。
【０００７】
つまり、液晶パネルの平面方向と、ＦＬインバータの回路基板１１を水平方向に並べて配置されている。また回路基板１１上には、昇圧回路１２が搭載され、この昇電圧回路１２も、液晶パネルと水平に配置されている。
【特許文献１】
特開２０００−１１４７６４号公報　（図１）
【０００８】
【発明が解決しようとする課題】
このように、ＦＬインバータ回路は、高い電圧を発生する昇圧回路を搭載しているため、安全上、低電位部との物理的な距離を確保する必要がある。しかし、ＦＬインバータ組込機器の軽薄短小化が進むにつれ、図３に示す従来の配置方法では、その距離ｄを確保することが難しくなってきている。つまり、液晶パネルと、ＦＬインバータ回路の距離をある程度の間隔をあけて確保すると、その分表示ユニット全体の面積が大きくなり、装置が大型化してしまうという問題点がある。
【０００９】
そこで、本発明は、ＦＬインバータ回路を液晶パネルの周囲に効果的に配置した構造を提供することを目的とするものである。
【００１０】
【課題を解決するための手段】
本発明は、上述した課題を解決するため、本体と、本体に回動可能に設けられた表示ユニットとを具備し、この表示ユニットの筐体内に設けられ、表示面を有する液晶パネルと、前記液晶パネルを照射するバックライトと、このバックライトに対して電源供給するためのＦＬインバータ回路とを具備し、前記ＦＬインバータ回路は、前記液晶パネルの表示面に対して垂直に配置されているものである。
【００１１】
また本発明は上述した課題を解決するため、前記ＦＬインバータ回路は、回路基板と、回路基板に配置された昇圧部とを有し、前記回路基板の載置面が前記液晶パネルの表示面に対して垂直となっているものである。
【００１２】
また本発明は上述した課題を解決するため、前記本体と、前記表示ユニットはヒンジ軸を介して回動可能に設けられており、前記ＦＬインバータ回路は、前記液晶パネルの周囲側面のうち、ヒンジ軸と対向する側面に設けられているものである。
【００１３】
また本発明は上述した課題を解決するため、前記ヒンジ軸と対応する側面にスピーカ部を設けたことものである。
【００１４】
【発明の実施の形態】
以下、図面を用いて、本発明の実施形態を説明する。
【００１５】
図１は、本発明の一実施形態を示す、電子機器の表示ユニット部の一部を抽出した断面図である。
【００１６】
図１に示すように、電子機器の表示ユニット１の筐体２内に液晶パネル（ＬＣＤ）２が配置されている。本実施形態の電子機器は、ノート型のパーソナルコンピュータや、携帯型のＤＶＤプレーヤなどのように、本体ユニットと表示ユニットがヒンジ部を介して接続され、表示ユニットがヒンジ部を軸として、開閉可能な構造になっている。そして、表示ユニット側には液晶パネル３が配置され、表示ユニットを閉じると液晶パネルが隠れ、表示ユニットを開けると液晶表示装置が見えるような構造となっているものである。
【００１７】
そして、液晶表示パネル３は、本体側から表示信号を受け、表示するものであるが、その表示部分を照射して視認可能とするため、表示ユニット１内には冷陰極管バックライトを点灯させるためのＦＬインバータ回路４が配置されている。ＦＬインバータ回路４は、回路基板５の載置面に昇圧部６が配置されており、昇圧部６にて、冷陰極管バックライト点灯のための電圧を生成し、電力供給する。そして、液晶パネル３と、ＦＬインバータ回路４は、それぞれ筐体にネジ止めにより固定さているものである。
【００１８】
そして、本実施形態では、液晶パネル４に対して、ＦＬインバータ回路４が垂直に固定されていることを特徴としている。即ち、液晶パネルの表示面３ａに対して、回路基板５の載置面および、載置面に載置された昇圧部６が垂直に立った状態で配置されているものである。このような配置構造とすることにより低電位部である液晶パネル３と、高電位部である昇圧部６の距離ｄを同一の実装面積の中で多くとることができる。
【００１９】
また液晶パネル３には上下左右の配置エリアが存在するが、最も有用な配置エリアとしては、液晶パネルの下側にＦＬインバータ回路４を設けることが効果的である。
液晶パネルの下側とは、表示ユニット１と本体とが接続されている側面であり、ヒンジ軸に対向する側面である。
これは、ＦＬインバータ回路４を液晶パネル３の表示面３に対して垂直に配置した場合には、実装面積としては少なくできるが、高さが高くなってしまい表示ユニットの厚さとしては大きくなってしまうが、の厚くなった部分を有効活用するのに適したエリアであるである。
【００２０】
例えば、図３に示す携帯型ＤＶＤプレーヤの斜視図に示すとおり、液晶パネル３の下側、即ちヒンジ軸８と対向する側面にＦＬインバータ回路４を配置することにより、表示ユニット１の筐体厚さが厚くなった部分に、スピーカ７を配置することにより、その厚さ分を有効活用することができる。スピーカ７は、音質向上のためには出来るだけ大きいことが望ましいので、このように、ＦＬインバータ回路４が垂直に配置されたことにより、大きなスピーカを配置することができるものである。
【００２１】
以上の説明したように、本実施形態によれば、液晶表示パネルに対して、ＦＬインバータ回路を垂直に配置することにより、低電位部である液晶パネル３と、高電位部である昇圧部６の距離ｄを同一の実装面積の中で多くとることができるので電子機器の小型化を実現することができる。また、ＦＬインバータ回路を液晶パネルの下側に垂直配置することで、配置された他の空間に大型のスピーカなどの部品を配置することにより有効活用を図ることができるものである。
【００２２】
【発明の効果】
ＦＬインバータ回路を液晶パネルの周囲に効果的に配置することができる。
【図面の簡単な説明】
【図１】本発明の一実施形態を示す電子機器器の表示ユニットの一部を示す断面図である。
【図２】同実施形態を示す電子機器の背面斜視図である。
【図３】従来の表示ユニットの一部を示す断面図である。
【符号の説明】
１…表示ユニット、２…筐体、３…液晶パネル、４…ＦＬインバータ回路、５…回路基板、６…昇圧部、７…スピーカ部、８…ヒンジ部。
【図１】
2004117979.tif 000003
【図２】
2004117979.tif 000004
【図３】
2004117979.tif 000005